(57)【要約】【課題】補助配管の取り回しの自由度を向上させることができる空気調和機の室内機を提供する。【解決手段】空気調和機の室内機は、クロスフローファン７１と室内熱交換器５０と補助配管５１と室内ファンモータ７２とを備える。クロスフローファン７１は、円筒形状を有する。室内熱交換器５０は、クロスフローファン７１の円周面に対向して配置される。補助配管５１は、室内熱交換器５０の側面から外側へと延びる。室内ファンモータ７２は、クロスフローファン７１の回転軸方向にクロスフローファン７１と並んで配置されクロスフローファン７１を回転駆動する。そして、補助配管５１は、回転軸方向に室内ファンモータ７２を越える位置まで延びている。【選択図】        図５
2004183953.tif 000002
【特許請求の範囲】
【請求項１】
円筒形状を有する送風ファン（７１）と、
前記送風ファン（７１）の円周面に対向して配置される熱交換器（５０）と、
前記熱交換器（５０）の側面から外側へと延びる補助配管（５１）と、
前記送風ファン（７１）の回転軸方向に前記送風ファン（７１）と並んで配置され前記送風ファン（７１）を回転駆動するモータ（７２）と、
を備え、
前記補助配管（５１）は、前記回転軸方向に前記モータ（７２）を越える位置まで延びている、
空気調和機（１）の室内機（２）。
【請求項２】
前記モータ（７２）を覆うモータカバー（５５）をさらに備え、
前記補助配管（５１）は、前記回転軸方向に前記モータカバー（５５）を越える位置まで延びている、
請求項１に記載の空気調和機（１）の室内機（２）。
【請求項３】
前記送風ファン（７１）は、前記回転軸が略水平になるように配置されており、
前記送風ファン（７１）を前後に挟むように配置され、前記熱交換器（５０）から滴下するドレン水を受ける第１ドレンパン（７８１）および第２ドレンパン（７８２）と、
前記回転軸方向に前記モータカバー（５５）を越える位置に配置され、前記第１ドレンパン（７８１）および前記第２ドレンパン（７８２）を連通させる連通路（７８３）と、
をさらに備える、
請求項２に記載の空気調和機（１）の室内機（２）。
【発明の詳細な説明】
【０００１】
【発明の属する技術分野】
本発明は、空気調和機の室内機に関する。
【０００２】
【従来の技術】
空気調和機の室内機には、円筒形状を有する送風ファンと、送風ファンの円周面に対向して配置される熱交換器と、回転軸方向に送風ファンと並んで配置され送風ファンを回転駆動するモータとを備えるものがある。そして、熱交換器には、冷媒が流れる補助配管が接続される。この補助配管は、熱交換器の側面から外側へと延び、熱交換器の側方の空間で取り回され、室内機外の冷媒配管へと接続されることが多い。（特許文献１参照）。
【０００３】
【特許文献１】
特開平１１−１７３５９１号公報（第２図）
【０００４】
【発明が解決しようとする課題】
ところで、空気調和機の室内機の内部には、室内機の小型化等のために複数の構成部品が密集して配置されている。例えば、上述したモータは、熱交換器の側方の空間に配置されることが多く、熱交換器の側方の空間の一部を占めている。このため、熱交換器の側面から外側へと延びる補助配管の設置空間は限られており、補助配管の取り回しの自由度も限られている。その一方で、設計の容易性等の観点からは、補助配管の取り回しの自由度は高いことが望ましい。
【０００５】
本発明の課題は、補助配管の取り回しの自由度を向上させることができる空気調和機の室内機を提供することにある。
【０００６】
【課題を解決するための手段】
請求項１に記載の空気調和機の室内機は、送風ファンと熱交換器と補助配管とモータとを備える。送風ファンは、円筒形状を有する。熱交換器は、送風ファンの円周面に対向して配置される。補助配管は、熱交換器の側面から外側へと延びる。モータは、送風ファンの回転軸方向に送風ファンと並んで配置され送風ファンを回転駆動する。そして、補助配管は、回転軸方向にモータを越える位置まで延びている。
【０００７】
この空気調和機の室内機では、熱交換器の側面から延びる補助配管が、モータを超える位置まで延びている。仮に、補助配管がモータを越える位置まで延びておらず、補助配管の下方にモータが位置しているとすると、補助配管の下方の空間の少なくとも一部はモータに占められているため、補助配管が下方へと延びることが制限される。しかし、この空気調和機の室内機では、補助配管はモータを越える位置まで延びるため、このような場合でも、補助配管が下方へ延びることがモータによって制限される恐れが少ない。従って、この空気調和機の室内機では、補助配管がモータを越える位置まで延びていない場合よりも、補助配管の取り回しの自由度が高くなる。このように、この空気調和機の室内機では、補助配管の取り回しの自由度を向上させることができる。
【０００８】
請求項２に記載の空気調和機の室内機は、請求項１に記載の空気調和機の室内機であって、モータを覆うモータカバーをさらに備える。そして、補助配管は、回転軸方向にモータカバーを越える位置まで延びている。
この空気調和機の室内機では、補助配管が回転軸方向にモータカバーを越える位置まで延びているため、補助配管の取り回しが、モータカバーによって制限される恐れが少ない。このため、この空気調和機の室内機では、補助配管の取り回しの自由度を向上させることができる。
【０００９】
請求項３に記載の空気調和機の室内機は、請求項２に記載の空気調和機の室内機であって、送風ファンは回転軸が略水平になるように配置されており、第１ドレンパンおよび第２ドレンパンと連通路とをさらに備える。第１ドレンパンおよび第２ドレンパンは、送風ファンを前後に挟むように配置され、熱交換器から滴下するドレン水を受ける。連通路は、回転軸方向にモータカバーを越える位置に配置され、第１ドレンパンおよび第２ドレンパンを連通させる。
【００１０】
この空気調和機の室内機では、連通路がモータカバーを越える位置に配置される。このため、モータカバーを超える位置まで延びる補助配管からドレン水が滴下した場合でも、連通路が滴下したドレン水を受けることができる。このように、この空気調和機の室内機では、補助配管がモータカバーを越える位置まで延びた場合であっても、補助配管から滴下するドレン水を適切に処理することができる。
【００１１】
【発明の実施の形態】
〔空気調和機の全体構成〕
本発明の一実施形態が採用された空気調和機１の外観を図１に示す。
この空気調和機１は、室内の壁面などに取り付けられる室内機２と、室外に設置される室外機３とを備えている。
【００１２】
室内機２内には室内熱交換器５０が収納され、室外機３内には室外熱交換器３０が収納されており、各熱交換器３０，５０が冷媒配管４により接続されることにより冷媒回路を構成している。
〔空気調和機の冷媒回路の構成概略〕
空気調和機１の冷媒回路の構成を図２に示す。この冷媒回路は、主として室内熱交換器５０、アキュムレータ３１、圧縮機３２、四路切換弁３３、室外熱交換器３０および電動膨張弁３４で構成される。
【００１３】
室内機２に設けられている室内熱交換器５０は、接触する空気との間で熱交換を行う。また、室内機２には、室内空気を吸い込んで室内熱交換器５０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２内に設けられる室内ファンモータ７２によって中心軸を中心にして回転駆動される。室内機２の詳細な構成については後に説明する。
【００１４】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器５０の一端と接続される。また、四路切換弁３３は、ガス閉鎖弁３７を介して配管４２に接続されており、この配管４２を介して室内熱交換器５０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、室外ファンモータ３９によって回転駆動される。
【００１５】
〔室内機の構成〕
図３（ａ）に室内機２の正面図、図３（ｂ）に室内機２の側面図を示す。室内機２は、正面視に置いて横方向に長い形状を有しており、正面視および側面視において上下に色彩が分かれたツートンカラーとなっている。
室内機２は、主として、上部ケーシング６、下部ユニット７および室内機２の内部に収容されている室内熱交換器ユニット５によって構成されている。上部ケーシング６は、室内機２の上部を覆っている。下部ユニット７は室内機２の下部を構成している。上部ケーシング６と下部ユニット７とは別体に形成されており、上部ケーシング６と下部ユニット７の一部との境界が室内機２の外観において水平線として現れている。また、上部ケーシング６と下部ユニット７の一部とは異なる色となっており、上部ケーシング６と下部ユニット７との境界である水平線を境にして上下に異なる色のツートンカラーとなっている。
【００１６】
以下、室内機２の各構成について説明する。
〈室内熱交換器ユニット〉
室内熱交換器ユニット５は、図４から図６に示すように、室内熱交換器５０、補助配管５１、熱交換器支持部材５２等によって構成されている。なお、図４は、上部ケーシング６が取り外された状態の室内機２の右側面図であり、図５は、上部ケーシング６が取り外された状態の室内機２の上面図であり、図６は、室内熱交換器ユニット５の右側部分の斜視図である。
【００１７】
（室内熱交換器）
室内熱交換器５０は、図７に示すように、クロスフローファン７１の円周面に対向して配置されており、クロスフローファン７１の前方、上方および後方を取り囲むように取り付けられている。なお、図７は室内機２の側面断面図である。室内熱交換器５０は、クロスフローファン７１が回転することにより吸込み口６０１，６１１から吸い込まれた空気をクロスフローファン７１側に通過させ、伝熱管の内部を通過する冷媒との間で熱交換を行わせる。室内熱交換器５０は、第１室内熱交換器５０ａ、第２室内熱交換器５０ｂ、第３室内熱交換器５０ｃ、第４室内熱交換器５０ｄの４つの部分に分割されている。室内熱交換器５０は、各室内熱交換器５０ａ，５０ｂ，５０ｃ，５０ｄがそれぞれ接合されることにより、側面視において両端が下方に向けて屈曲する概ね逆Ｖ字型の断面形状を有するように形成されている。
【００１８】
各室内熱交換器５０ａ，５０ｂ，５０ｃ，５０ｄは、それぞれ水平方向に長い板状の形状を有している。各室内熱交換器５０ａ，５０ｂ，５０ｃ，５０ｄは、両側端で複数回折り返されてなる伝熱管と、伝熱管が挿通される短冊状の複数のフィンとから構成されている。伝熱管は、各室内熱交換器５０ａ，５０ｂ，５０ｃ，５０ｄの両側端においてＵ字型伝熱管によって折り返されている。
【００１９】
第１室内熱交換器５０ａは、上端が室内機２の前方へ向けて傾斜しており、クロスフローファン７１の中央上方から後側上方を覆うように配置されている。
第２室内熱交換器５０ｂは、上端が室内機２の後方へ向けて傾斜しており、第１室内熱交換器５０ａの前方に配置されている。第２室内熱交換器５０ｂの上端は、第１室内熱交換器５０ａの上端と接合されており、第１室内熱交換器５０ａと第２室内熱交換器５０ｂとは、側面視において逆Ｖ字型になるように組み合わされている。第２室内熱交換器５０ｂは、クロスフローファン７１の中央上方から前側上方を覆うように配置されている。
【００２０】
第３室内熱交換器５０ｃは、第２室内熱交換器５０ｂの下方にクロスフローファン７１の前方を覆うように配置されている。第３室内熱交換器５０ｃの上端は第２室内熱交換器５０ｂの下端に角度を付けて接合されており、第３室内熱交換器５０ｃと第２室内熱交換器５０ｂとによって鈍角が形成されている。第３室内熱交換器５０ｃは、高さ方向、すなわち鉛直方向に平行になっており、室内熱交換器５０の下方の水平面を覆う下部ユニット７に対して垂直になっている。また、第３室内熱交換器５０ｃの下端は室内熱交換器５０の下端となっており、第３室内熱交換器５０ｃの下端、すなわち室内熱交換器５０の前側の下端は、クロスフローファン７１の中心軸と略同じ高さに位置している。
【００２１】
第４室内熱交換器５０ｄは、第１室内熱交換器５０ａの下方にクロスフローファン７１の後方を覆うように配置されている。第４室内熱交換器５０ｄの上端は、第１室内熱交換器５０ａの下端に角度を付けて接合されており、第４室内熱交換器５０ｄと第１室内熱交換器５０ａとによって鈍角が形成されている。第４室内熱交換器５０ｄは、高さ方向に平行になっており、室内熱交換器５０の下方の水平面を覆う下部ユニット７に対して垂直になっている。また、第４室内熱交換器５０ｄの下端は、室内熱交換器５０の後側の下端となっており、第４室内熱交換器５０ｄの下端、すなわち室内熱交換器５０の後側の下端は、クロスフローファン７１の中心軸と略同じ高さに位置している。
【００２２】
第３室内熱交換器５０ｃと第４室内熱交換器５０ｄとは高さ方向に同じ長さを有しており、第３室内熱交換器５０ｃと第４室内熱交換器５０ｄとの上端および下端は同じ高さに位置している。従って、室内熱交換器５０の前側の下端と後側の下端とは同じ高さになっており、クロスフローファン７１の中心軸と略同じ高さに位置している。また、室内熱交換器５０の前側下端と後側下端とは、逆Ｖ字型の部分の前後の下端から鉛直方向下向きにクロスフローファン７１の中心軸と略同じ高さまで伸びている。
【００２３】
第１室内熱交換器５０ａ、第２室内熱交換器５０ｂ、第３室内熱交換器５０ｃおよび第４室内熱交換器５０ｄは、それぞれ両側端（正面視における左右方向の端）に設けられた固定板によって相互に固定されることにより、一体に接合されて室内熱交換器５０を形成している。室内熱交換器５０は、第１室内熱交換器５０ａと第２室内熱交換器５０ｂとによって形成される逆Ｖ字型の部分と、第１室内熱交換器５０ａと第２室内熱交換器５０ｂとのそれぞれの下端から鉛直方向下向きに延びる直線部分とが組合された断面形状を有している。室内熱交換器５０は、逆Ｖ字型の頂点を通る鉛直方向に平行な直線について前後に線対称な断面形状を有しており、第１室内熱交換器５０ａと第２室内熱交換器５０ｂとが、また、第３室内熱交換器５０ｃと第４室内熱交換器５０ｄとが前後に対称になっている。室内熱交換器５０は、側面視においては上記のように前後対称な逆Ｖ字型を含む断面形状に形成されているが、正面視においては横方向に長い形状を有している。室内熱交換器５０の長手方向の長さは、クロスフローファン７１の長手方向の長さと略同じになっており、室内熱交換器５０の側端とクロスフローファン７１の側端とは略揃っている。
【００２４】
（補助配管）
補助配管５１は、室内熱交換器５０と、室内機２の外部にある冷媒配管４を繋いでおり、室内熱交換器５０と室外熱交換器３０との間を行き来する冷媒が流れる。補助配管５１は、図６に示すように、室内熱交換器５０の伝熱管に接続されており、室内熱交換器５０の側面から外側へと延びている。補助配管５１は、室内熱交換器５０の右側面から突出しており、室内熱交換器５０の側方の空間で取り回されている。具体的には、補助配管５１は、図５に示すように、室内熱交換器５０の右側面から外側へと延び、室内ファンモータ７２および室内ファンモータ７２を覆うモータカバー部５５（後述）の上方を通り、室内ファンモータ７２およびモータカバー部５５を超えて後述する連通路７８３の上方まで延びている。その後、補助配管５１は、図４に示すように、室内機２の背面側へ向けて且つやや下向きに屈曲され、室内ファンモータ７２を覆うモータカバー部５５の外側を通り、室内機２の背面側でさらに上方へ向けて屈曲されている。そして、複数の補助配管５１がまとめられて保護チューブ５３によって覆われている。まとめられた補助配管５１は、図４および図６に示すように、室内熱交換器５０の右側方の空間を室内機２の背面側に沿って下方へと伸び、室内機２の後側下部の空間で室内機２の左側面に向けてさらに屈曲され、冷媒配管４に接続されている。
【００２５】
熱交換器支持部材５２は、室内熱交換器５０の右側面付近に設けられており、図４に示すように、室内熱交換器５０を内側から支持すると共に、室内ファンモータ７２を覆っている。熱交換器支持部材５２は、室内ファンモータ７２をドレン水から保護している。この熱交換器支持部材５２の構成については後に説明する。
【００２６】
〈上部ケーシング〉
上部ケーシング６は、図３および図７に示すように、室内機２の上部を構成しており、上前面部６０、天面部６１および上側面部６２，６３によって構成されている。
上前面部６０は、室内機２の前側上部を覆っており、室内熱交換器５０の前方を覆っている。上前面部６０は、概ね平坦に形成されており、その一部に段差が設けられている。この段差の上面には室内機２の長手方向に長いスリット状の開口からなる前面吸込み口６０１が設けられている。前面吸込み口６０１は室内機２の上方へ向けて設けられている。
【００２７】
天面部６１は、室内機２の天面を覆っており、室内熱交換器５０の上方を覆っている。天面部６１には、複数のスリット状の開口からなる天面吸込み口６１１が設けられている。この天面吸込み口６１１は、天面部６１の前側から後側にかけて設けられており、前面吸込み口６０１よりも吸い込み面積が大きくなっている。このため、室内機２の天面後側からも十分に空気が吸い込まれるようになっている。
【００２８】
上側面部６２，６３は、室内機２の側面上部を覆っており、室内熱交換器５０の側方を覆っている。上側面部６２，６３には、右上側面部６２と左上側面部６３とがあり、右上側面部６２は正面視において室内熱交換器５０の右側方に配置され、左上側面部６３は室内熱交換器５０の左側方に配置されている。
また、上部ケーシング６の下端は水平に形成されており、上部ケーシング６が下部ユニット７に被せられることによって、上部ケーシング６と下部ユニット７との境界が水平線となって室内機２の正面視および側面視における外観に現れる。
【００２９】
〈下部ユニット〉
下部ユニット７は、室内機２の下部を構成しており、図８および図９に示すように、下部ケーシング７０、クロスフローファン７１、室内ファンモータ７２、電装品箱７３等がモジュール化されて構成されている。
（下部ケーシング）
下部ケーシング７０は、下前面部７４、底面部７５、下側面部７６，７７、支持部７８等によって構成されており、上部ケーシング６とは異なる色となっている。
【００３０】
下前面部７４は、正面視において室内機２の前面下部として視野に現れる部分であり、上端が室内機２の前側に傾斜するように配置されている。図３（ａ）に示すように、下前面部７４の上端は水平に形成されており、上部ケーシング６の下端と共に水平な境界線を構成している。また、下前面部７４には、室内機２の長手方向に沿う開口からなる吹出し口７４１が設けられている。この吹出し口７４１は、図７に示すように、クロスフローファン７１が収納されている支持部７８の内部の空間に連通しており、クロスフローファン７１によって生成された空気流は吹出し口７４１を通って室内へと吹き出す。また、吹出し口７４１には、室内へと吹出す空気が案内される水平フラップ７４２が設けられている。この水平フラップ７４２は、室内機２の長手方向に平行な軸を中心に回動自在に設けられており、フラップモータ（図示せず）によって回転駆動されることにより、吹出し口７４１の開閉を行うことができる。
【００３１】
底面部７５は、室内機２の底面を覆っており、平坦に形成されている。底面部７５は、水平に配置されており、その上に支持部７８が配置されている。
下側面部７６，７７は、側面視において室内機２の側面下部として視野に現れる部分であり、室内機２の側面下部を覆っている。下側面部７６，７７には、右下側面部７６と左下側面部７７とがあり、右下側面部７６は正面視において室内機２の右側に配置され、左下側面部７７は室内熱交換器５０の左側に配置されている。また、下側面部７６，７７の上端は、下前面部７４と同様に水平に形成されている。上部ケーシング６が下部ユニット７に被せられた状態では、上部ケーシング６の下端と、下部ユニット７の下前面部７４および下側面部７６，７７の上端が合致して、水平な境界線が構成される。
【００３２】
支持部７８は、下前面部７４、底面部７５、下側面部７６，７７によって囲まれており、支持部７８の上面は、下前面部７４および下側面部７６，７７の上端より上方に位置している。支持部７８には、上方からクロスフローファン７１、室内ファンモータ７２、電装品箱７３、室内熱交換器ユニット５等が取り付けられ、クロスフローファン７１、室内ファンモータ７２、電装品箱７３、室内熱交換器ユニット５等を下方から支持する。
【００３３】
支持部７８は、室内熱交換器ユニット５の熱交換器支持部材５２を介して室内熱交換器５０を支持する。支持部７８の上面は、クロスフローファンの中心軸と略同じ高さとなっている。支持部７８の上面には、ドレンパン７８１，７８２とファン収容部７８７とが設けられている。
ドレンパン７８１，７８２は、熱交換時に室内熱交換器５０の表面に発生する水滴を受け取る部分であり、支持部７８の上面から下方に窪んだ凹状の部材によって形成されている。このドレンパン７８１，７８２には前ドレンパン７８１と後ドレンパン７８２とがあり、前ドレンパン７８１は、図５に示すように、第３室内熱交換器５０ｃの下方に、すなわち室内熱交換器５０の前側下端の下方に配置されている。後ドレンパン７８２は、第４室内熱交換器５０ｄ、すなわち室内熱交換器５０の後側下端の下方に配置されている。前ドレンパン７８１と後ドレンパン７８２とは、クロスフローファン７１を挟んで前後に配置されている。前ドレンパン７８１と後ドレンパン７８２とは、略同じ高さに位置しており、前ドレンパン７８１と後ドレンパン７８２との底面はクロスフローファン７１の中心軸の高さよりも低い位置にあるが、室内熱交換器５０の下端に近接して配置されている。なお、前ドレンパン７８１と後ドレンパン７８２とは、それぞれドレン水を受ける底面が室内機２の右側へと少し傾斜している。そして、支持部７８の右側部分には、図９および図１０に示すように、前ドレンパン７８１と後ドレンパン７８２とを繋ぐ連通路７８３が設けられている。連通路７８３は、図９に示すように、平面視において室内ファンモータ７２と電装品箱７３との間に位置している。また、連通路７８３は、図１０に示すように、側面視においてクロスフローファン７１の回転軸の高さ以下に位置している。また、この連通路７８３には下方へと貫通している水抜き孔７８４が設けられている。この水抜き孔７８４は、図９に示すように、ドレン水をドレンパン７８１，７８２から外部へと排出するためのドレンホース７８５の内部と連通している。室内熱交換器５０や補助配管５１から滴下したドレン水は、前ドレンパン７８１と後ドレンパン７８２とによって受けられ、連通路７８３で集められ、水抜き孔７８４からドレンホース７８５を経て機外へと排出される。
【００３４】
ファン収容部７８７は、クロスフローファン７１と室内ファンモータ７２とが収容される部分であり、支持部７８の上面の中央付近に設けられている。ファン収容部７８７は支持部７８の上面から下方に半円筒形状に窪んだ部材により形成されており、クロスフローファン７１と室内ファンモータ７２との下半分を収容する。また、支持部７８の内部には、収容されたクロスフローファン７１と吹出し口７４１とを連通する空気経路が設けられている。
【００３５】
また、支持部７８は、後ドレンパン７８２とクロスフローファン７１との間に、支持部７８の上面から上方へと突出する舌部７８６を有している。この舌部７８６は、クロスフローファン７１の後方を覆っており、舌部７８６の上端はクロスフローファン７１の頂上部分より若干低い高さに位置している。
このように支持部７８の上面には、前ドレンパン７８１、後ドレンパン７８２およびファン収容部７８７が設けられ、舌部７８６が上方へ突出しているが、支持部７８の上面の他の部分は概ね平坦かつ水平に形成されており、クロスフローファン７１の中心線と略同じ高さに位置している。
【００３６】
上記のように、支持部７８の最も高い位置にある部分は舌部７８６であるが、舌部７８６は、クロスフローファン７１の頂上部分の高さ以下に位置している。また、支持部７８の上面は、下前面部７４および下側面部７６，７７の上端より上方に位置している。このため、支持部７８を含めた下部ケーシング７０の各部分はクロスフローファン７１の頂上部分の高さ以下となっている。
【００３７】
なお、支持部７８の上面の背面側もクロスフローファン７１の高さ以下となっているが、上部ケーシング６の天面部６１と支持部７８の上面の背面側との間の部分は、室内の壁面に取り付けられる据付板８によって塞がれる（図７参照）。据付板８は、室内機２の長手方向には室内熱交換器５０と略同じ長さを有しており、室内熱交換器５０の背面側を覆っている。据付板８は、室内機２の背面側を覆うことにより、室内熱交換器５０で熱交換される空気が通る空気流路を上部ケーシング６と共に形成しており、特に背面側空気流路を形成している。
【００３８】
（クロスフローファン）
クロスフローファン７１は、長細い円筒形状に構成され、中心軸すなわち回転軸が水平になるように配置される。クロスフローファン７１の周面には羽根が設けられており、クロスフローファン７１が回転軸周りに回転することにより、空気流を生成する。この空気流は、前面吸込み口６０１および天面吸込み口６１１から取り入れられ室内熱交換器５０を通り吹出し口７４１から室内へと吹き出す空気の流れである。クロスフローファン７１は、側面視において室内機２の概ね中央に位置している。クロスフローファン７１は、支持部７８によって支持され、支持された状態のクロスフローファン７１の上半分は支持部７８の上面から上方へ突出している。
【００３９】
（室内ファンモータ）
室内ファンモータ７２は、クロスフローファン７１を回転軸周りに回転駆動する。室内ファンモータ７２は、図８および図９に示すように、クロスフローファン７１と略同じ直径を有する薄い円筒形状を有している。室内ファンモータ７２は、クロスフローファン７１の右側方にクロスフローファン７１と同軸に配置されており、平面視においてクロスフローファン７１と回転軸方向に並んで配置されている。室内ファンモータ７２は、クロスフローファン７１の右側に隣接して配置されており、室内ファンモータ７２の右側には、連通路７８３が隣接して配置されている。また、室内ファンモータ７２とクロスフローファン７１とは、平面視において、前ドレンパン７８１、連通路７８３および後ドレンパン７８２によって周囲を囲まれている。また、室内ファンモータ７２が支持部７８に取り付けられた状態では、室内ファンモータ７２とクロスフローファン７１との頂上部分との高さは略同じとなっている（図８参照）。
【００４０】
（電装品箱）
電装品箱７３は、図５および図９に示すように、室内機２の運転を制御するための制御基板７３１を収容する。電装品箱７３は、直方体の箱状の形状を有しており、下部ケーシング７０の右下側面部７６と支持部７８との間に配置され、室内熱交換器ユニット５の右側方に位置している。電装品箱７３は、支持部７８の外側に配置されており、平面視において、クロスフローファン７１の回転軸方向に連通路７８３と並んで配置されている。従って、クロスフローファン７１、室内ファンモータ７２、連通路７８３および電装品箱７３は、平面視において回転軸方向に順に並んで配置されている。また、電装品箱７３は、室内ファンモータ７２の右側方において支持部７８の右側面に取り付けられて支持されており、室内熱交換器ユニット５が下部ユニット７に取り付けられる前に支持部７８に取り付けることができる。また、電装品箱７３は前側寄りに配置されており、電装品箱７３の後方の空間は前述した保護チューブ５３に覆われた補助配管５１が通る空間となっている。電装品箱７３は、制御基板７３１に取り付けられた制御部品のうち容量の大きなコンデンサやパワートランジスタなどの強電部品７３２が室内ファンモータ７２と軸方向に並ぶように配置されており、側面視において室内ファンモータ７２と電装品箱７３とが重なるように配置されている。また、電装品箱７３の上面は、下部ケーシング７０に支持された状態では、室内ファンモータ７２の頂上部分、すなわちクロスフローファン７１の頂上部分と略同じ高さに位置している。
【００４１】
このように、室内ファンモータ７２、電装品箱７３、下部ケーシング７０の全ての部分が、下部ケーシング７０に支持された状態のクロスフローファン７１の頂上部分の高さ以下に位置しており、下部ユニット７は、全体として高さ方向に比較的寸法の小さい形状となっている。
（熱交換器支持部材）
次に、熱交換器支持部材５２の構成について図５および図６に基づいて説明する。熱交換器支持部材５２は、室内熱交換器５０の右側面付近に設けられ、熱交換器支持部５４とモータカバー部５５とドレン水ガイド部５６とを有している。
【００４２】
熱交換器支持部５４は、室内熱交換器５０の逆Ｖ字型に沿った形状を有する板状の部分であり、室内熱交換器５０を内側から支持している。
モータカバー部５５は、室内ファンモータ７２の上半分を覆っており、主として、上面カバー部５５１、側面カバー部５５２、前面カバー部５５３および後面カバー部５５４によって構成されている。
【００４３】
上面カバー部５５１は、円弧状に湾曲する曲面形状を有しており、熱交換器支持部５４から室内熱交換器５０の側方へと突出している。上面カバー部５５１は、室内ファンモータ７２の円周面の上半分と対向しており、室内ファンモータ７２の上方を覆っている。
側面カバー部５５２は、概ね半円形の板状の部分であって、上面カバー部５５１に対して垂直になっている。側面カバー部５５２は、室内ファンモータ７２の右側の端面を構成する円形面の上半分に対向しており、室内ファンモータ７２の右側方を覆っている。
【００４４】
前面カバー部５５３および後面カバー部５５４は、それぞれ室内ファンモータ７２の前方と後方とを覆っている。
なお、上述したように、室内熱交換器５０の側面からは補助配管５１が外側へと延びているため、モータカバー部５５は補助配管５１の下方に位置している。モータカバー部５５は、補助配管５１から滴下したドレン水がドレン水ガイド部５６へと流れるように形成されており、ドレン水から室内ファンモータ７２を保護している。
【００４５】
ドレン水ガイド部５６は、モータカバー部５５の前方、右側方および後方を囲んでおり、モータカバー部５５上に滴下して流れるドレン水をドレンパン７８１，７８２や連通路７８３へと案内する。ドレン水ガイド部５６は、平面視において、モータカバー部５５の前側、右側および後側に沿ったコの字型の形状を有する底面部５６１および側壁部５６２を有している。
【００４６】
底面部５６１は、側面カバー部５５２、前面カバー部５５３および後面カバー部５５４の下端と垂直につながっている。モータカバー部５５の前側に位置する底面部５６１の左側端は、第３室内熱交換器５０ｃの側面の下端と近接しており、前ドレンパン７８１の上方に位置している。また、モータカバー部５５の後側に位置する底面部５６１の左側端は、第４室内熱交換器５０ｄの側面の下端に近接しており、後ドレンパン７８２の上方に位置している。
【００４７】
側壁部５６２は、底面部５６１から垂直に起立しておりドレン水を案内する。
第３室内熱交換器５０ｃの側面の下端と底面部５６１の前側の左側端との間には隙間が設けられている。また、第４室内熱交換器５０ｄの側面の下端と底面部５６１の後側の左側端との間にも隙間が設けられている。このため、ドレン水ガイド部５６によって受けられたドレン水は、これらの隙間から前ドレンパン７８１や後ドレンパン７８２へと流れて、機外へと排出される（図６の白抜き矢印Ａ１参照）。また、側壁部５６２のうちモータカバー部５５の右側方に位置する部分の一部に切り欠き５６３が設けられており、モータカバー部５５上に滴下したドレン水は、この切り欠き５６３からも排出される。側壁部５６２のうちモータカバー部５５の右側方に位置する部分は、平面視において連通路７８３の一部にかかるように連通路７８３の上方に位置しており、切り欠き５６３から排出されたドレン水は、連通路７８３で受けられ機外へと排出される。
【００４８】
このように、連通路７８３は、モータカバー部５５を越えた外側に、平面視においてクロスフローファン７１の回転軸方向に並んで配置されており、補助配管５１から滴下したドレン水を受けることができるように配置されている。具体的には、補助配管５１から滴下したドレン水は、上面カバー部５５１、ドレン水ガイド部５６または連通路によって受けられる。
【００４９】
上面カバー部５５１上に滴下したドレン水は、曲面上を前方、後方または側方へと流れドレン水ガイド部５６へと流れる。ドレン水は、ドレン水ガイド部５６の左側端から前ドレンパン７８１または後ドレンパン７８２へと流れて機外へと排出される。また、側方へと流れたドレン水は、ドレン水ガイド部５６の切り欠き５６３からも排出され連通路７８３で受けられて機外へと排出される。
【００５０】
ドレン水ガイド部５６に直接に滴下したドレン水も同様に、ドレン水ガイド部５６の左側端から前ドレンパン７８１または後ドレンパン７８２へと流れて、あるいは切り欠き５６３から連通路７８３へと流れて機外へと排出される。
また、補助配管５１は、モータカバー部５５を超えて連通路７８３の上方まで延びているため、補助配管５１から連通路７８３へと直接にドレン水が滴下する場合もある。この場合、ドレン水は連通路７８３で受けられて機外へと排出される。
【００５１】
〔特徴〕
（１）
この空気調和機１の室内機２では、室内熱交換器５０の側面から外側へと延びる補助配管５１が、室内ファンモータ７２およびモータカバー部５５を超える位置まで延びている。このため、補助配管５１は、モータカバー部５５の外側を通るように取り回されることができる。すなわち、図４に示すように、側面視において、補助配管５１とモータカバー部５５とが重なっている状態とすることが可能となっている。
【００５２】
もし、補助配管５１が室内ファンモータ７２およびモータカバー部５５を越える位置まで延びていない場合、補助配管５１の下方には室内ファンモータ７２およびモータカバー部５５が位置するため、補助配管５１が下方へと延びることが制限される。
しかし、この空気調和機１の室内機２では、上述したように、補助配管５１が、室内ファンモータ７２およびモータカバー部５５を超える位置まで延びており、モータカバー部５５と側面視において重なる高さまで下方へと延びることができる。このように、この空気調和機１の室内機２では、補助配管５１を取り回すことができる空間が拡大しており、補助配管５１の取り回しの自由度が向上している。
【００５３】
（２）
この空気調和機１の室内機２では、連通路７８３が熱交換器支持部材５２のモータカバー部５５を越える位置に配置される。このため、モータカバー部５５を超える位置まで延びる補助配管５１からドレン水が滴下した場合でも、連通路７８３が滴下したドレン水を連通路７８３によって受けることができる。このように、この空気調和機１の室内機２では、補助配管５１から滴下するドレン水を適切に処理することができる。
【００５４】
【発明の効果】
請求項１に記載の空気調和機の室内機では、熱交換器の側面から延びる補助配管が、モータを超える位置まで延びている。仮に、補助配管がモータを越える位置まで延びておらず、補助配管の下方にモータが位置しているとすると、補助配管の下方の空間の少なくとも一部はモータに占められているため、補助配管が下方へと延びることが制限される。しかし、この空気調和機の室内機では、補助配管はモータを越える位置まで延びるため、このような場合でも、補助配管が下方へ延びることがモータによって制限される恐れが少ない。従って、この空気調和機の室内機では、補助配管がモータを越える位置まで延びていない場合よりも、補助配管の取り回しの自由度が高くなる。このように、この空気調和機の室内機では、補助配管の取り回しの自由度を向上させることができる。
【００５５】
請求項２に記載の空気調和機の室内機では、補助配管が回転軸方向にモータカバーを越える位置まで延びているため、補助配管の取り回しが、モータカバーによって制限される恐れが少ない。このため、この空気調和機の室内機では、補助配管の取り回しの自由度を向上させることができる。
請求項３に記載の空気調和機の室内機では、連通路がモータカバーを越える位置に配置される。このため、モータカバーを超える位置まで延びる補助配管からドレン水が滴下した場合でも、連通路が滴下したドレン水を受けることができる。このように、この空気調和機の室内機では、補助配管がモータカバーを越える位置まで延びた場合であっても、補助配管から滴下するドレン水を適切に処理することができる。
【図面の簡単な説明】
【図１】空気調和機の外観図。
【図２】冷媒回路の構成図。
【図３】（ａ）室内機の正面図。
（ｂ）室内機の右側面図。
【図４】上部ケーシングが外された室内機の右側面図。
【図５】上部ケーシングが外された室内機の右側部分の上面図。
【図６】室内熱交換器ユニットの右側部分の斜視図。
【図７】室内機の右側面断面図。
【図８】下部ユニットの右側面図。
【図９】下部ユニットの右側部分の上面図。
【図１０】下部ユニットの右側面断面図。
【符号の説明】
１            空気調和機
２            室内機
５０          室内熱交換器（熱交換器）
５１          補助配管
５５          モータカバー部（モータカバー）
７１          クロスフローファン（送風ファン）
７２          室内ファンモータ（モータ）
７８１        前ドレンパン（第１ドレンパン）
７８２        後ドレンパン（第２ドレンパン）
７８３        連通路
【図１】
2004183953.tif 000003
【図２】
2004183953.tif 000004
【図３】
2004183953.tif 000005
【図４】
2004183953.tif 000006
【図５】
2004183953.tif 000007
【図６】
2004183953.tif 000008
【図７】
2004183953.tif 000009
【図８】
2004183953.tif 000010
【図９】
2004183953.tif 000011
【図１０】
2004183953.tif 000012